(57)【要約】【課題】コンクリート管の目地隙間を被覆保護することができ、事後処理としての目地仕上げ処理作業を簡略化できると共に、管渠の曲線敷設部分での使用も可能となる目地構成材を提供する。【解決手段】目地構成材１が、リング本体２の軸方向に沿う一面側に、その内径がリング本体２の内径と一致する円筒状の目地被覆部３をリング本体と同軸心状の配置で突設して形成され、この目地被覆部３を、直線部分や曲線部分の目地に対して自在に被覆形成できるよう前記リング本体２よりも軟質になっている。【選択図】図４
2009264090.tif 000002
【特許請求の範囲】
【請求項１】
リング本体の軸方向に沿う一面側又は両面側に、その内径がリング本体の内径と一致する円筒状の目地被覆部をリング本体と同軸心状の配置で突設し、この目地被覆部を、直線部分や曲線部分の目地に対して自在に被覆形成できるよう前記リング本体よりも軟質にした管渠構築用の目地構成材。
【請求項２】
上記リング本体が、弾性材料を用い、互いに接続せんとするコンクリート管の内径に等しい内径と、一方コンクリート管の端部に設けたカラー内に納まる外径と、両コンクリート管の対向する端面間の間隔を閉鎖する厚みを有するリングに形成され、上記目地被覆部は、リング本体に連なる付け根部分に周溝や蛇腹による可曲部分が設けられている請求項１に記載の管渠構築用の目地構成材。
【請求項３】
上記目地被覆部の周方向に沿う複数箇所の位置に、目地隙間に対する注入材の注入孔を設け、この注入孔を閉塞部材で閉鎖するようにした請求項１又は２に記載の管渠構築用の目地構成材。
【請求項４】
上記リング本体と目地被覆部が、透明な合成樹脂を用いて形成されている請求項１乃至３の何れかに記載の管渠構築用の目地構成材。
【請求項５】
互いに接続せんとするコンクリート管の接続部分を、一方コンクリート管の端部に設けたカラーが他方コンクリート管の端部に外嵌する嵌まり合い構造とし、前記接続部分に、請求項１乃至４の何れかに記載の管渠構築用の目地構成材を組込み、この目地構成材のリング本体を両コンクリート管の対向する端面間に介在させ、目地被覆部をコンクリート管の内部に嵌め合わせた地中管渠の目地構造。
【請求項６】
上記コンクリート管の端部内周面が、上記目地構成材の目地被覆部の嵌まり合う環状の凹部に形成され、この凹部の内周面が、コンクリート管と別材料によって目地被覆部に対する摺動面に形成されている請求項５に記載の地中管渠の目地構造。
【請求項７】
管渠を構築するため地中に押し込まれるコンクリート管の接続部分を、一方コンクリート管の端部に設けたカラーが他方コンクリート管の端部に外嵌する嵌まり合い構造とし、前記接続部分に、請求項１又は２に記載の管渠構築用の目地構成材を組込み、この目地構成材のリング本体を両コンクリート管の対向する端面間に介在させ、目地被覆部をコンクリート管の内部に嵌め合わせた状態で管渠を構築する地中管渠の構築工法。
【請求項８】
管渠を構築するため地中に押し込まれるコンクリート管の接続部分を、一方コンクリート管の端部に設けたカラーが他方コンクリート管の端部に外嵌する嵌まり合い構造とし、前記接続部分に、請求項３又は４に記載の管渠構築用の目地構成材を組込み、この目地構成材のリング本体を両コンクリート管の対向する端面間に介在させ、目地被覆部をコンクリート管の内部に嵌め合わせた状態で管渠を構築し、事後処理としてコンクリート管の目地隙間に目地構成材の注入孔から注入材を注入し、この注入孔を閉塞部材で閉鎖する地中管渠の構築工法。
【請求項９】
上記コンクリート管の接続部分に対する目地構成材の組込みを、接続前のコンクリート管における何れか一方のコンクリート管の端面に目地リングのリング本体を接着することで予め固定しておき、この後両コンクリート管の端部を接続することによって行なう請求項７又は８に記載の地中管渠の構築工法。
【発明の詳細な説明】
【技術分野】
【０００１】  この発明は、コンクリート管を用いた管渠の構築において、コンクリート管の接続部分における目地隙間の処理作業を不要にし、工期の短縮を図ることができる管渠構築用の目地構成材と、これを用いた地中管渠の目地構造及び地中管渠の構築工法に関する。
【背景技術】
【０００２】  コンクリート管を用い、推進工法によって地中に排水路等となる管渠を構築する方法は、発進竪坑から所定長さのコンクリート管を順次接続しながら地中に押し込むことによって行なわれる。【０００３】  一般的に、推進工法に用いるコンクリート管の接続部分は、互いに接続せんとする一方コンクリート管の端部にカラーを設け、他方コンクリート管の端部を前記カラーに嵌合すると共に、このカラーと他方コンクリート管の嵌まり合い部分にパッキンを組み込み、接続部分での防水性と管渠の曲線敷設を可能とする可曲性を付与した構造になっており、接続したコンクリート管の端面間にはおおよそ５〜１０ｍｍ程の目地隙間が生じるようになっている。【０００４】  上記目地隙間は止水性を低下させる部分になるため、管内径が直径８００ｍｍ以上の人が入れる大口径管の場合は、管渠構築の事後処理として、コンクリート管の内部に入って端面間に生じた目地隙間をモルタル等で埋める目地仕上げ処理（左官仕上げ）を行なっている。【０００５】  また、管内径が直径７００ｍｍ以下の小口径管の場合は、事後処理ができないため、コンクリート管の接続部分における目地は、カラーとコンクリート管の嵌まり合い部分に予め組み込んだパッキンのみによって防水性を確保しているのが現状である。
【発明の開示】
【発明が解決しようとする課題】
【０００６】  ところで、上記した大口径管の場合の事後処理として施されているモルタル等での目地仕上げ処理は、仕上げ作業に手間がかかると共に、仕上げ部分はコンクリート管に比べて強度的に劣り、近年硫化水素等の発生により、目地処理部分が劣化して腐食が発生し、目地部分からの漏水の原因になっている。【０００７】  また、小口径管の場合は、パッキンのみなよって目地部分の防水性を確保しているため、十分な防水性の確保が困難であり、また、管渠の曲線敷設部分においては、カラーとコンクリート管の嵌まり合い部分の隙間の条件が周方向において変化し、周方向での均一な防水性が得られないという問題がある。【０００８】  そこで、この発明の課題は、コンクリート管の接続部分に発進竪坑内であらかじめ装着しておくことで、目地隙間を被覆保護することができ、事後処理としての目地仕上げ処理作業を簡略化できると共に、耐震強度に優れ、管渠の曲線敷設部分での使用も可能となり、特に、小口径管の目地処理に最適な目地構成材と、これを用いた地中管渠の目地構造及び地中管渠の構築工法の技術を提供することにある。
【課題を解決するための手段】
【０００９】  上記のような課題を解決するため、目地構成材である請求項１の発明は、リング本体の軸方向に沿う一面側又は両面側に、その内径がリング本体の内径と一致する円筒状の目地被覆部をリング本体と同軸心状の配置で突設し、この目地被覆部を、直線部分や曲線部分の目地に対して自在に被覆形成できるよう前記リング本体よりも軟質にした構成を採用したものである。【００１０】  請求項２の発明は、請求項１の発明において、上記リング本体が、弾性材料を用い、互いに接続せんとするコンクリート管の内径に等しい内径と、一方コンクリート管の端部に設けたカラー内に納まる外径と、両コンクリート管の対向する端面間の目地隙間を閉鎖する厚みを有するリングに形成され、上記目地被覆部は、リング本体に連なる付け根部分に周溝や蛇腹による可曲部分が設けられている構造としたものである。【００１１】  請求項３の発明は、請求項１又は２の発明において、上記目地被覆部の周方向に沿う複数箇所の位置に、目地隙間に対する注入材の注入孔を設け、この注入孔を閉塞部材で閉鎖するようにした構造としたものである。【００１２】  請求項４の発明は、請求項１乃至３の何れかに記載の発明において、上記リング本体と目地被覆部が、透明な合成樹脂を用いて形成されている構造としたものである。【００１３】  ここで、目地構成材は、ＰＰ等の合成樹脂やゴムのように弾性材料を用い、リング本体にパッキング機能を持たせると共に、目地被覆部はリング本体に比べて軟質性を付与することで、コンクリート管の内周面に対して密着し、目地に対するシール機能を持たせるようになっていると共に、この目地被覆部に設けた可曲部分は、リング本体に対して目地被覆部に可曲性を付与することにより、管渠の曲線敷設部分での対応を可能にしている。【００１４】  請求項５の発明は、互いに接続せんとするコンクリート管の接続部分を、一方コンクリート管の端部に設けたカラーが他方コンクリート管の端部に外嵌する嵌まり合い構造とし、前記接続部分に、請求項１乃至４の何れかの発明の管渠構築用の目地構成材を組込み、この目地構成材のリング本体を両コンクリート管の対向する端面間に介在させ、目地被覆部をコンクリート管の内部に嵌め合わせた構造としたものである。【００１５】  請求項６の発明は、請求項５の発明において、上記コンクリート管の端部内周面が、上記目地構成材の目地被覆部の嵌まり合う環状の凹部に形成され、この凹部の内周面が、コンクリート管と別材料によって目地被覆部に対する摺動面に形成されているに構造としたものである。【００１６】  上記コンクリート管の凹部に設けた摺動面は、コンクリート管の成形時に凹部の部分にアルミ製のリングを固着させて形成され、目地被覆部が密着することで目地隙間をシールすると共に、管渠の曲線敷設時における前後コンクリート管の曲がりに対して目地被覆部を滑らすことで、目地隙間に対するシール機能を維持させるものである。【００１７】  請求項７の発明は、管渠を構築するため地中に押し込まれるコンクリート管の接続部分を、一方コンクリート管の端部に設けたカラーが他方コンクリート管の端部に外嵌する嵌まり合い構造とし、前記接続部分に、請求項１又は２の発明に記載の管渠構築用の目地構成材を組込み、この目地構成材のリング本体を両コンクリート管の対向する端面間に介在させ、目地被覆部をコンクリート管の内部に嵌め合わせた状態で管渠を構築する構成としたものである。【００１８】  請求項８の発明は、管渠を構築するため地中に押し込まれるコンクリート管の接続部分を、一方コンクリート管の端部に設けたカラーが他方コンクリート管の端部に外嵌する嵌まり合い構造とし、前記接続部分に、請求項３又は４の発明の管渠構築用の目地構成材を組込み、この目地構成材のリング本体を両コンクリート管の対向する端面間に介在させ、目地被覆部をコンクリート管の内部に嵌め合わせた状態で管渠を構築し、事後処理としてコンクリート管の目地隙間に目地構成材の注入孔から注入材を注入し、この注入孔を閉塞部材で閉鎖する構成としたものである。【００１９】  請求項９の発明は、請求項７又は８の発明において、上記コンクリート管の接続部分に対する目地構成材の組込みを、接続前のコンクリート管における何れか一方のコンクリート管の端面に目地リングのリング本体を接着することで予め固定しておき、この後両コンクリート管の端部を接続することによって行なう構成としたものである。
【発明の効果】
【００２０】  この発明の目地構成材によると、リング本体の軸方向に沿う一面側又は両面側に円筒状の目地被覆部をリング本体と同軸心状の配置で突設し、この目地被覆部を、直線部分や曲線部分の目地に対して自在に被覆形成できるよう前記リング本体よりも軟質にしたので、コンクリート管の接続部分に発進竪坑内で予め装着しておくことで、リング本体がコンクリート管の端面間に形成される目地隙間を水密にし、目地被覆部がコンクリート管の内周面に密着することで目地隙間をシールして目地隙間を被覆保護することができ、事後処理としての目地仕上げ処理作業を簡略化できる。【００２１】  また、目地構成材は、弾性材料を用いて形成されているので、硫化水素等に対する耐食性を向上させることができ、目地部分からの漏水の発生を長期にわたって防ぐことができると共に、コンクリート管の内周面に密着する目地被覆部はリング本体に対して軟質で可曲性があるので、前後コンクリート管の曲がりに対して追従し、耐震強度に優れ、管渠の曲線敷設部分での使用も可能となる。【００２２】  特に、目地構成材を中に人が入れない小口径管の目地処理に使用すると、小口径管の目地に対して防水機能を付加することができ、小口径管を用いた管渠の信頼性を著しく向上させることができる。【００２３】  更に、発進竪坑内において一方のコンクリート管の端面に目地構成材を固定しておき、この後両コンクリート管の端部を接続するだけで目地の処理ができるので、手間がかからないと共に、大口径管の場合には、目地隙間に対して注入材を充填することで、目地の処理が確実になり、しかも、目地構成材を透明とすることで、注入材の充填状態を目視で確認でき、目地の処理が完全に行なえる。
【発明を実施するための最良の形態】
【００２４】  以下、この発明の実施の形態を添付図面に基づいて説明する。【００２５】  図１乃至図４は、目地構成材の第１の実施の形態を示し、この目地構成材（目地リング）１は、ＰＰ等の合成樹脂やゴムのような弾性材料を用い、リング本体２と、このリング本体２の軸方向に沿う一面側に、リング本体２と同軸心状の配置で突設された円筒状の目地被覆部３とで形成されている。【００２６】  ここで、管渠を構築するコンクリート管の接続部分は、図４のように、互いに接続せんとする一方コンクリート管４ａの端部にカラー５を設け、他方コンクリート管４ｂの一段小径とした端部を前記カラー５内に嵌合すると共に、このカラー５と他方コンクリート管４ｂの嵌まり合い部分にパッキン６を組み込んだ構造になり、下流側になるコンクリート管４ｂの端部内周面が、上記目地構成材１の目地被覆部３が嵌まり合う環状の凹部７に形成され、この凹部７の内周面を、コンクリート管と別材料によって目地被覆部３に対する摺動面にした構造になっている。【００２７】  この摺動面は、コンクリート管４ｂの成形時に凹部７の部分に断面Ｌ字形のアルミ製リング８を固着させて形成され、目地被覆部３が密着することで目地隙間をシールすると共に、管渠の曲線敷設時における前後コンクリート管４ａ、４ｂの曲がりに対して目地被覆部３を滑らすことで、目地隙間に対するシール機能を維持させるものである。【００２８】  上記リング本体２は、内径が組み込み使用するコンクリート管４ａ、４ｂの内径と等しく、外径がカラー５内に丁度納まり、その厚みが目地隙間を埋めることができる５〜１０ｍｍ程度の厚みに形成され、また、目地被覆部３は、その内径がコンクリート管４ａ、４ｂの内径と等しい円筒状に形成されている。【００２９】  ちなみに、内径３００ｍｍのコンクリート管に使用する目地構成材１の場合、リング本体２は内径が３００ｍｍ、外径が４００ｍｍ、目地被覆部３は内径が３００ｍｍ、外径が３０４ｍｍ、リング本体からの突出長さは３０〜５０ｍｍ程度になっている。【００３０】  上記リング本体２に対して目地被覆部３を、材料の選択や薄肉厚にすることでリング本体２よりも軟質にし、コンクリート管の直線部分や曲線部分の目地隙間に対して自在に被覆形成できるようになっている。【００３１】  この目地被覆部３の可曲性を向上させるため、図３（ａ）のように、リング本体２に連なる付け根部分に周溝や蛇腹による可曲部分９が設けられている。【００３２】  上記目地構成材１において、図３（ｂ）のように、目地被覆部３の周方向に沿う複数箇所の位置に、目地隙間に対する注入材の注入孔１０を設け、この注入孔１０を着脱可能な蓋栓となる閉塞部材１１で閉鎖するようにしたり、リング本体２と目地被覆部３を、透明な合成樹脂を用いて形成するようにしてもよい。【００３３】  第１の実施の形態の目地構成材１は、上記のような構成であり、所定長さと口径のコンクリート管４ａ、４ｂを用い、推進工法によって地中に排水路等となる管渠を構築する場合に、発進竪坑内において、地中に押し込んだコンクリート管４ａの端面にリング本体２を接着ボンドで貼り付けることにより目地構成材１を予め固定し、この後、次のコンクリート管４ｂの端部をカラー���との嵌め合わせで接続した状態で地中に押し込み、これを繰り返すことにより、地中に管渠を構築する。【００３４】  上記コンクリート管４ａと４ｂの接続部分に生じた目地隙間の処理は、図４のように、前後コンクリート管４ａと４ｂの端面間でリング本体２が挟まれ、目地被覆部３は、水流の下流側コンクリート管４ｂの端部内周面に形成した凹部７に嵌まり込み、その外周が摺動面に密着している。【００３５】  上記目地構成材１は、リング本体２がコンクリート管４ａと４ｂの端面間に形成される目地隙間を水密にし、目地被覆部３がコンクリート管４ｂの内周面に密着することで目地隙間をシールして被覆保護することができ、コンクリート管４ｂの摺動面に密着する目地被覆部３はリング本体２に対して軟質で可曲性があるので、前後コンクリート管４ａと４ｂの曲がりに対して追従し、管渠の曲線敷設部分での使用も可能となる。【００３６】  図５乃至図８は、目地構成材の第２の実施の形態を示し、上述した第１の実施の形態と同一部分には同一符号を付して説明する。【００３７】  この第２の実施の形態の目地構成材１ａは、リング本体２の軸方向に沿う両面側に、リング本体２と同軸心状の配置で円筒状の目地被覆部３、３を突設したものであり、リング本体２と両側の目地被覆部３、３は、第１の実施の形態と同じ構造と条件に形成されている。【００３８】  この目地構成材１ａを用いて管渠を構築するコンクリート管４ａと４ｂは、前後何れのコンクリート管の端部にも凹部７を形成し、各凹部７の内周面を摺動面にしておく。【００３９】  第２の実施の形態の目地構成材１ａは、発進竪坑内において、地中に押し込んだコンクリート管４ａの凹部７に一方目地被覆部３を嵌め合わせ、このコンクリート管４ａの端面にリング本体２を接着ボンドで貼り付けることにより目地構成材１ａを予め固定し、この後、次のコンクリート管４ｂの端部をカラー５との嵌め合わせで接続し、他方目地被覆部３を凹部７に嵌め合わせた状態で地中に押し込み、これを繰り返すことにより、地中に管渠を構築する。【００４０】  上記コンクリート管４ａと４ｂの接続部分に生じた目地隙間の処理は、図８のように、前後コンクリート管４ａと４ｂの端面間でリング本体２が挟まれ、両側の目地被覆部３、３は、両側コンクリート管４ａと４ｂの端部内周面に形成した凹部７、７に嵌まり込み、その外周がそれぞれの摺動面に密着している。【００４１】  上記目地構成材１ａは、リング本体２がコンクリート管４ａと４ｂの端面間に形成される目地隙間を水密にし、両目地被覆部３、３が両コンクリート管４ａと４ｂの内周面に密着することで目地隙間をシールして被覆保護することができ、両コンクリート管４ａと４ｂの摺動面に密着する両目地被覆部３、３はリング本体２に対して軟質で可曲性があるので、前後コンクリート管４ａと４ｂの曲がりに対して追従し、管渠の曲線敷設部分での使用も可能となる。【００４２】  上記第１及び第２の実施の形態の目地構成材１、１ａにおいて、コンクリート管４ａと４ｂの管口径が８００ｍｍ以上の大口径管の場合、管内に人が入れるので、目地構成材１、１ａに透明で注入孔１０を設けたものを用い、管渠構築後において、注入孔１０から目地隙間に向けて、���メントミルクやエポキシ樹脂等の注入材を充填して埋め、その後注入孔１０を閉塞部材１１で閉鎖処理すれば、目地隙間の処理が確実になり、しかも、目地構成材１、１ａを透明とすることで、注入材の充填状態を目視で確認でき、目地隙間の処理が完全に行なえることになる。【００４３】  また、コンクリート管４ａと４ｂの管口径が７００ｍｍ以上の小口径管の場合、この発明の目地構成材１、１ａを用いることにより、小口径管の目地隙間に対して目地構成材１又は１ａとパッキン６の二段構えとなる防水機能を付加することができ、小口径管を用いた管渠の信頼性を著しく向上させることができる。
【図面の簡単な説明】
【００４４】
【図１】（ａ）は第１の実施の形態の目地構成材を示す正面図、（ｂ）は同縦断正面図
【図２】第１の実施の形態の目地構成材を示す斜視図
【図３】（ａ）は第１の実施の形態の目地構成材の要部を拡大した縦断正面図、（ｂ）は目地被覆部に注入孔を設けた例を示す拡大した縦断正面図
【図４】第１の実施の形態の目地構成材によるコンクリート管の目地隙間の処理状態を示す縦断正面図
【図５】（ａ）は第２の実施の形態の目地構成材を示す正面図、（ｂ）は同縦断正面図
【図６】第２の実施の形態の目地構成材を示す斜視図
【図７】第２の実施の形態の目地構成材の要部を拡大した縦断正面図
【図８】第２の実施の形態の目地構成材によるコンクリート管の目地隙間の処理状態を示す縦断正面図
【符号の説明】
【００４５】１、１ａ      目地構成材
２            リング本体
３            目地被覆部
４ａ、４ｂ    コンクリート管
５            カラー
６            パッキン
７            凹部
８            アルミ製リング
９            可曲部
１０          注入孔
１１          閉塞部材
【図１】
2009264090.tif 000003
【図２】
2009264090.tif 000004
【図３】
2009264090.tif 000005
【図４】
2009264090.tif 000006
【図５】
2009264090.tif 000007
【図６】
2009264090.tif 000008
【図７】
2009264090.tif 000009
【図８】
2009264090.tif 000010